(57)【特許請求の範囲】
【請求項１】
装置本体に設けられた複数のコネクタと、
該コネクタに接続されるプローブが載置されると共に、装置本体に対して移動可能に設けられ、プローブのケーブルが摺動可能に係合し、前記各コネクタと対向するガイドが設けられたプレート状のプローブホルダと、
該プローブホルダと前記コネクタとの間におけるプローブのケーブルのフロア対向部分を覆うように設けられたケーブルカバーと、
からなることを特徴とする超音波診断装置のプローブホルダ機構。
【請求項２】
前記プローブホルダは、
格納時には、装置本体のキーボード部の下面に対向するように位置することを特徴とする請求項１に記載の超音波診断装置のプローブホルダ機構。
【請求項３】
前記プローブホルダは、
フロアに対して平行な平面上で、直線移動及び回転移動可能なことを特徴とする請求項１又は請求項２に記載の超音波診断装置のプローブホルダ機構。
【発明の詳細な説明】
【０００１】
【発明の属する技術分野】
本発明は、超音波診断装置において、非使用時のプローブを保持するホルダ機構に関する。
【０００２】
【従来の技術】
次に、図面を用いて従来例を説明する。図８は従来の超音波診断装置の正面図、図９は図８の側面図である。
【０００３】
これらの図において、１は超音波診断装置の本体、２は本体１上に設けられたディスプレイ、３は本体１に設けられたキーボードである。本体１の下面は、キャスタ４が設けられ、フロア５上を移動可能となっている。
【０００４】
本体１には、プローブ６が接続されるコネクタ７が複数個設けられている。キーボード３の前面には、非使用時のプローブ６を保持するホルダ９が設けられている。
【０００５】
また、本体１の側面には、プローブ６のケーブル６ａが係止され、ケーブル６ａがフロア５に垂下するのを防止するアーム８が揺動可能に設けられている。
尚、ホルダに関しては、キーボードの前面に設けられたタイプの他に、装置のサイドに設けるタイプやキーボード上にポケット状の凹部を設け、これにプローブを嵌合させるタイプもある。
【０００６】
【発明が解決しようとする課題】
しかし、上記構成の超音波診断装置においては、下記のような問題点がある。
（１）  複数種類のプローブ６をコネクタ７へ接続して使用する場合、ユーザは任意のホルダ９からプローブ６を取出し、任意のホルダ９へ戻す。
【０００７】
よって、プローブ６のケーブル６ａが他のプローブ６′のケーブル６ａ′にもつれ合う場合がある。
（２）  アーム８から垂下したプローブ６のケーブル６ａが外部に露出しているので、超音波診断装置を移動させる場合、他の物に引っ掛かる場合がある。
【０００８】
（３）  多くの種類のプローブ６に対して、ホルダ９を対応させるは困難である。本発明は上記問題点に鑑みてなされたもので、その目的は、プローブのケーブルがもつれにくく、移動の際にケーブルが他の物に引っ掛かりにくく、多くの種類のプローブに対応可能なプローブホルダ機構を提供することにある。
【０００９】
【課題を解決するための手段】
上記課題を解決する発明は、装置本体に設けられた複数のコネクタと、該コネクタに接続されるプローブが載置されると共に、装置本体に対して移動可能に設けられ、プローブのケーブルが摺動可能に係合し、前記各コネクタと対向するガイドが設けられたプレート状のプローブホルダと、該プローブホルダと前記コネクタ間のプローブのケーブルのフロア対向部分を覆うように設けられたケーブルカバーとからなるものである。
【００１０】
プローブが載置されるプローブホルダにコネクタに対応したガイドを設けたことにより、プローブの載置場所が決定され、ケーブルのもつれが防止される。
また、ケーブルのフロア対向部分を覆うカバーを設けたことにより、ケーブルがフロアまで垂れ下がることを防止する。
【００１１】
更に、プローブホルダがプレート状であるので、プローブを入れ損なうことがない。
ここで、移動の際に他の物に引っ掛かるのを防止するために、前記プローブホルダは、格納時には装置本体のキーボード部の下面に対向するように位置することが望ましい。
【００１２】
また、操作性の観点より、前記プローブホルダは、フロアに対して平行な平面上で、直線移動及び回転移動可能なことが望ましい。
【００１６】
【発明の実施の形態】
次に図面を用いて本発明の実施の形態例を説明する。図１は実施の形態例の超音波診断装置の正面図、図２は図１の側面図、図３は図１におけるプローブホルダの斜視図、図４は図３におけるプローブホルダのレール及びフックを説明する図である。
【００１７】
これらの図において、１１は超音波診断装置の本体、１２は本体１１上に設けられたディスプレイ、１３は本体１１に設けられたキーボードである。本体１１の下面は、キャスタ１４が設けられ、フロア１５上を移動可能となっている。
【００１８】
本体１１の前面下部の一方の側には、２つの同じ長さのリンク１６，１７の基端部が、他方の側にも２つの同じ長さのリンク１８，１９（リンク１９は不図示）の基端部が、それぞれ回転可能に設けられている。そして、これらリンク１６〜１９の回転端部は、平行を保った状態でそれぞれアッパベース２０に回転可能に設けられている。
【００１９】
よって、装置本体１１、リンク１６，１７、アッパベース２０で平行リンク（クランク）機構が、装置本体１１、リンク１８，１９、アッパベース２０で平行リンク（クランク）機構が形成されている。
【００２０】
アッパベース２０にはアッパベース２０に対して回転可能に設けられた回転プレート２１を介してプローブ３０が載置される弾性材のプローブホルダ２２が固着されている。また、リンク１６〜１９の回転基端部は、ブレーキ機構２３〜２６（ブレーキ機構２６は不図示）を介して本体１１に取付けられており、リンク１６〜１９の自由傾動を禁止している。
【００２１】
従って、プローブホルダ２２は、フロア１５に対して略平行な状態で本体１１の前方に傾動可能であると共に、水平面内で回転可能となっている。
本体１１の前面下部には、プローブ３０が接続されるコネクタ３１が複数個設けられている。
【００２２】
一方、プローブホルダ２２の本体側の立壁部２２ａには、コネクタ３１に対応して、上面の開口部の幅Ｗがプローブ３０のケーブル３０ａの径Ｄより狭くなるように形成された逆Ω字形のガイド２２ｂが形成されている。
【００２３】
そして、このガイド２２ｂにプローブ３０のケーブル３０ａが摺動可能に係合している。尚、このガイド２２ｂへのプローブ３０のケーブル３０ａの係合は、ケーブル３０ａをガイド２２ｂの開口部に押圧することにより、ガイド２２ｂの上部が弾性変形し、ケーブル３０ａがガイド２２ｂ内へ圧入される。
【００２４】
更に、プローブホルダ２２の底部には、図４（ａ）に示すように、複数のレール２２ｃが形成され、このレール２２ｃに図４（ｂ）に示すように、下部にレール２２ｃに係合可能な溝３３ａが形成された弾性を有するフック３３が着脱可能に係合している。
【００２５】
尚、本実施の形態例では、複数の形状のプローブ３０に対応して、フック３３の形状も複数種類設定されている。更に、プローブ３０のカラーコードに応じて、フック３３の色も設定されている。
【００２６】
また、リンク１６，１８には、プローブ３０のケーブル３０ａのフロア１５と対向する部分を覆うように設けられたケーブルカバー３５が固着されている。
次に、上記構成の作動を説明する。図１及び図２に示す状態は、プローブホルダ２２がキーボード１３の下面に対向する位置（格納位置）にある状態を示している。
【００２７】
ここで、プローブホルダ２２を二点鎖線の位置（使用位置）まで引出すと、プローブホルダ２２上部が外部に露出し、プローブホルダ２２上に載置されているプローブ３０を自由に取り出すことができる状態となる。また、この時、プローブホルダ２２は水平面上で回転可能となっているので、検査に便利な位置に回転させることもできる。
【００２８】
そして、プローブホルダ２２よりプローブ３０を取り出すと、ケーブル３０ａはガイド２２ｂを介して繰出される。検査が終了し、再びプローブ３０をプローブホルダ２２へ戻すと、ケーブル３０ａはガイド２２ｂを介して収納される。
【００２９】
上記構成によれば、プローブ３０が載置されるプローブホルダ２２にコネクタ３１に対応したガイド２２ｂを設けたことにより、プローブ３０の載置場所が決定され、ケーブル３０ａのもつれが防止される。
【００３０】
また、ケーブル３０ａのフロア１５対向部分を覆うケーブルカバー３５を設けたことにより、ケーブル３０ａがフロア１５まで垂れ下がることを防止する。
更に、プローブホルダ２２がプレート状であるので、プローブ３０を入れ損なうことがない。
【００３１】
更に、プローブホルダ２２に設けられプローブ３０を保持するフック３３は、プローブホルダ２２に対して着脱可能に、かつ、プローブ３０の種類に応じた形状を選択できるので、多くの形状のプローブ３０に対応できる。
【００３２】
更にまた、プローブ３０のカラーコードに応じて、フック３３の色を変えることにより、格納位置の判別が容易となる。
また、プローブホルダ３２は、格納時には本体１１のキーボード１３の下面に対向するように位置することにより、移動の際に他の物に引っ掛かるのを防止することができる。
【００３３】
尚、本発明は、上記実施の形態例に限定するものではない。上記実施の形態例は、本体１１の前面に設けた例で説明を行なったが、本体１１の側面に設けてもよい。
【００３４】
次に、図５を用いて本発明の参考形態例を説明する。図５は本発明の参考形態例の側面図、図６は図５における要部構成図、図７は図５における作動を説明する図である。尚、実施の形態例と同一部分には同一符号を付し、それらの説明は省略する。
【００３５】
図において、キーボード１３上には、プローブ４３が接続される複数のコネクタ４０と、これに対応して複数のポケット状のプローブホルダ４１とが設けられている。
【００３６】
４４はプローブホルダ４１の近傍に設けられるアームである。このアーム４４の基端部には、自然状態においてはコネクタ４０方向に延出し、可撓性を有するスプリング４４ａが設けられ、傾倒可能となっている。そして、アーム４４の先端部は、二股状に形成され、ここに、プローブ４３のケーブル４３ａが係止されている。
【００３７】
次に、上記構成の作動を図７も参照して説明する。プローブ４３がプローブホルダ４１内に収納されている時には、アーム４４はコネクタ４０方向に延出している。
【００３８】
ここで、プローブ４３をプローブホルダ４１から取上げて使用する際には、図７に示すように、アーム４４のスプリング４４ａが弾性変形し、先端部に係止されたケーブル４３ａの動きに追従する。
【００３９】
そして、プローブ４３をプローブホルダ４１に返却すると、アーム４４はスプリング４４ａの復元力により、元の位置に復帰する。
上記構成によれば、複数の各プローブ４３に対応してアーム４４を設けたことにより、ケーブル４３ａのもつれが無くなる。また、プローブ４３をプローブホルダ４１に戻した場合、ケーブル４３ａが係止されたアーム４４の復元力により、ケーブル４３ａも元の位置に戻る。
【００４０】
【発明の効果】
以上述べたようにこの発明によれば、プローブが載置されるプローブホルダにコネクタに対応したガイドを設けたことにより、プローブの載置場所が決定され、ケーブルのもつれが防止される。
【００４１】
また、ケーブルのフロア対向部分を覆うカバーを設けたことにより、ケーブルがフロアまで垂れ下がることを防止する。
更に、プローブホルダがプレート状であるので、プローブを入れ損なうことがない。
【００４２】
さらにまた、プローブホルダは、格納時には装置本体のキーボード部の下面に対向するように位置することにより、移動の際に他の物に引っ掛かるのを防止することができる。
【００４３】
また、操作性の観点より、前記プローブホルダは、フロアに対して平行な平面上で、直線移動及び回転移動可能なことが望ましい。
【図面の簡単な説明】
【図１】実施の形態例の超音波診断装置の正面図である。
【図２】図１の側面図である。
【図３】図３は図１におけるプローブホルダの斜視図である。
【図４】図３におけるプローブホルダのレール及びフックを説明する図である。
【図５】本発明の参考形態例の側面図である。
【図６】図５における要部構成図である。
【図７】図５における作動を説明する図である。
【図８】従来の超音波診断装置の正面図である。
【図９】図８の側面図である。
【符号の説明】
１１  本体(装置本体)
１５  フロア
２２  プローブホルダ
３０  プローブ
３０ａ  ケーブル
３５  ケーブルカバー
【図１】
0003582897.tif 000002
【図２】
0003582897.tif 000003
【図３】
0003582897.tif 000004
【図４】
0003582897.tif 000005
【図５】
0003582897.tif 000006
【図６】
0003582897.tif 000007
【図７】
0003582897.tif 000008
【図８】
0003582897.tif 000009
【図９】
0003582897.tif 000010